(57)【要約】【課題】  指が触れたときと、押されたときとに、異なる処理を実行する電子機器を提供する。【解決手段】  光透過性を有するキーキャップ３０３と、このキーキャップ３０３によりオン・オフ制御されるスイッチ３０５とを設ける。キーキャップ３０３の後部に、キーキャップ３０３の操作面の方向に光を出力する発光素子Ｄ31と、キーキャップ３０３の操作面の方向からの光を受光する受光素子Ｑ31とを設ける。キーキャップ３０３に指などが触れたとき、発光素子Ｄ31の出力光をキーキャップ３０３を通じて受光素子Ｑ31により受光し、この受光によりキーキャップ３０３に指などが触れたことを検出する。キーキャップ３０３が押されたとき、スイッチ３０５の出力によりキーキャップ３０３の押されたことを検出する。それぞれの状態を表示素子５０に表示する。【選択図】        図３
2008146822.tif 000002
【特許請求の範囲】
【請求項１】
複数の記録媒体が装着される装着手段と、
上記記録媒体に記録された信号を再生する再生手段と、
上記記録媒体のそれぞれに関連する記録媒体関連情報を記憶する記憶手段と、
上記記録媒体関連情報を表示する表示手段と、
表示データを退避させるための退避記憶手段と、
非操作状態、第１の操作状態および第２の操作状態を含む少なくとも３つの状態を検出するスイッチ手段を複数個備えるスイッチ群と、
上記装着手段、上記再生手段、上記記憶手段、上記表示手段、上記退避記憶手段および上記スイッチ群を制御する制御手段と
を有し、
上記スイッチ手段は上記各記録媒体にそれぞれ対応付けられ、
上記スイッチ群のうちの任意のスイッチ手段が第１の操作状態であることを検出したときには、上記表示手段に表示されている表示データを上記退避記憶手段に退避させた上で当該任意のスイッチ手段に対応付けられた記録媒体に関連する記録媒体関連情報を上記表示手段に表示するとともに、
当該任意のスイッチ手段が当該第１の操作状態から上記非操作状態に遷移したときには、当該退避記憶手段に退避させた表示されていた表示データを当該表示手段に再表示し、
上記スイッチ群のうちの任意のスイッチ手段が第２の操作状態であることを検出したときには、当該任意のスイッチ手段に対応付けられた記録媒体に記録された信号を上記再生手段により再生する
ことを特徴とする電子機器。
【請求項２】
請求項１に記載の電子機器において、
上記スイッチ手段は少なくとも第１および第２の検出機能を備え、
上記第１の検出機能は、当該スイッチ手段が非操作状態であるか第１の操作状態であるかを判別し、
上記第２の検出機能は、当該スイッチ手段が第２の操作状態であるか否かを判別する
ことを特徴とする電子機器。
【請求項３】
請求項２に記載の電子機器において、
上記第１の検出機能は、当該スイッチ手段に指が触れられたか否かを検出する機能であるとともに、光透過性を有するキー部と発光手段と受光手段とによって構成され、
上記第２の検出機能は、上記キー部が押されたか否かを検出する機能であるとともに、スイッチ部が操作されることによって検出する
ことを特徴とする電子機器。
【請求項４】
請求項３に記載の電子機器において、
上記キー部の一部を支持し当該キー部を可動可能にする支持部を有し、
上記キー部が押されたときには当該キー部は上記支持部に沿って可動することにより、上記スイッチ部が操作される
ことを特徴とする電子機器。
【請求項５】
請求項４に記載の電子機器において、
上記支持部は軸状の支持部であり、
上記キー部が押されたときには当該キー部は上記支持部を中心に回転するように可動することにより上記スイッチが操作される
ことを特徴とする電子機器。
【発明の詳細な説明】
【技術分野】
【０００１】
この発明は、電子機器に関する。
【背景技術】
【０００２】
カーオーディオなどで使用されるＣＤチェンジャにおいては、例えば、図５に示すように、数字キーのうちの「３」キーを押すと、ＣＤチェンジャにセットされている多数のＣＤのうちの第３番目のＣＤを選択し、このＣＤを再生するようにされている。あるいは「６」キーを押すと、第６番目のＣＤを選択し、このＣＤを再生するようにされている。
【０００３】
そして、この場合、各ＣＤについての情報、例えばＣＤ名を、あらかじめＣＤチェンジャに記憶させておけば、図５に示すように、その選択されたＣＤのＣＤ名をディスプレイに表示することができる。
【０００４】
なお、先行技術文献として例えば以下のものがある。
【特許文献１】特開平６−８９６３０号公報
【発明の開示】
【発明が解決しようとする課題】
【０００５】
ところが、上述からも明らかなように、ＣＤ名が表示されるのは、数字キーを押した後であり、押す前には表示されない。
【０００６】
このため、ＣＤ名が表示されるように構成されていても、目的とするＣＤが何番の数字キーであるかを憶えていないときには、目的とするＣＤが見つかるまで、数字キーを順に押さなければならない。ところが、数字キーを押せば、ＣＤチェンジャは対応するＣＤの選択動作を開始してしまう。
【０００７】
したがって、数字キーを憶えていないと、目的とするＣＤが見つかるまでに、ＣＤの選択および交換という動作が何回か実行されることになり、ＣＤ名が表示されるように構成されていても、目的とするＣＤを簡単に素早く再生することができない。
【０００８】
この発明は、このような問題点を解決しようとするものである。
【課題を解決するための手段】
【０００９】
この発明においては、
複数の記録媒体が装着される装着手段と、
上記記録媒体に記録された信号を再生する再生手段と、
上記記録媒体のそれぞれに関連する記録媒体関連情報を記憶する記憶手段と、
上記記録媒体関連情報を表示する表示手段と、
表示データを退避させるための退避記憶手段と、
非操作状態、第１の操作状態および第２の操作状態を含む少なくとも３つの状態を検出するスイッチ手段を複数個備えるスイッチ群と、
上記装着手段、上記再生手段、上記記憶手段、上記表示手段、上記退避記憶手段および上記スイッチ群を制御する制御手段と
を有し、
上記スイッチ手段は上記各記録媒体にそれぞれ対応付けられ、
上記スイッチ群のうちの任意のスイッチ手段が第１の操作状態であることを検出したときには、上記表示手段に表示されている表示データを上記退避記憶手段に退避させた上で当該任意のスイッチ手段に対応付けられた記録媒体に関連する記録媒体関連情報を上記表示手段に表示するとともに、
当該任意のスイッチ手段が当該第１の操作状態から上記非操作状態に遷移したときには、当該退避記憶手段に退避させた表示されていた表示データを当該表示手段に再表示し、
上記スイッチ群のうちの任意のスイッチ手段が第２の操作状態であることを検出したときには、当該任意のスイッチ手段に対応付けられた記録媒体に記録された信号を上記再生手段により再生する
ことを特徴とする電子機器
とするものである。
【発明の効果】
【００１０】
この発明によれば、例えば、ＣＤチェンジャにおいて、目的とするＣＤを簡単に、かつ、素早く探すことができるとともに、間違えずに再生することができる。また、キーを、最適な感触あるいは操作性とすることができる。さらに、スイッチとしての電気的特性についても、選択することができる。
【発明を実施するための最良の形態】
【００１１】
図１においては、カーオーディオのオーディオ信号源としてＣＤチェンジャ１１が設けられている場合である。そして、そのＣＤチェンジャ１１からのオーディオ信号が、プリアンプ１２に供給されて音量調整および音質調整などの処理が行われ、その処理されたオーディオ信号がメインアンプ１３を通じて左および右チャンネルのスピーカ１４Ｌ、１４Ｒに供給される。
【００１２】
この場合、図示はしないが、ＣＤチェンジャ１１およびプリアンプ１２は、システム制御用のマイクロコンピュータをそれぞれ有する。そして、ＣＤチェンジャ１１およびプリアンプ１２は、その制御用のマイクロコンピュータに外部からデータが供給されると、そのデータに対応した処理、例えばＣＤの選択やＣＤの再生などを実行するものである。
【００１３】
さらに、マスタ制御用のマイクロコンピュータ２０が設けられ、このマイクロコンピュータ２０には、外部バス２１を通じてＣＤチェンジャ１１およびプリアンプ１２のシステム制御用のマイクロコンピュータがそれぞれ接続される。
【００１４】
また、マイクロコンピュータ２０には、バス２１を通じて操作部３０が接続される。この操作部３０は、例えば図５に示すような外観とされているとともに、マイクロコンピュータにより構成されているものである。
【００１５】
このため、操作部３０、すなわち、マイクロコンピュータ３０は、プログラムを実行するためのＣＰＵ３１と、そのプログラム用のＲＯＭ３２と、ワークエリア用のＲＡＭ３３とを有し、メモリ３２、３３はシステムバス３９を通じてＣＰＵ３１に接続されている。この場合、ＲＯＭ３２には、例えば図２に示す表示制御ルーチン１００が用意される。このルーチン１００の詳細については、後述するが、ここでは、簡単のため、表示の制御に関係する部分だけを示す。
【００１６】
さらに、マイクロコンピュータ３０には、入出力ポート３４およびキーインターフェイス回路３５が設けられる。そして、バス３９がポート３４を通じてバス２１に接続され、マイクロコンピュータ３０と、マイクロコンピュータ２０と、ＣＤチェンジャ１１およびアンプ１２の制御用マイクロコンピュータとの間で各種のデータがアクセスされる。また、インターフェイス回路３５には、各種の操作キーＫ1〜ＫNが接続される。
【００１７】
この操作キーＫ1〜ＫNのうち、キーＫ1〜Ｋ9、Ｋ0が図５における数字キーとされているものであるが、これら数字キーＫ1〜Ｋ9、Ｋ0の詳細については、例えば図３により後述する。
【００１８】
また、マイクロコンピュータ３０には、フォントデータを有するフォントＲＯＭ（キャラクタジェネレータ）３６と、ディスプレイコントローラ３７とが設けられ、これらはシステムバス３９に接続される。そして、コントローラ３７には、表示用のメモリ３８が接続されるとともに、表示素子として、例えばカラーＬＣＤ５０が接続される。
【００１９】
この場合、フォントＲＯＭ３６は、ＬＣＤ５０に文字（数字、記号などを含む。以下同様）を表示するためのフォントデータを有する。また、ＬＣＤ５０は、ドットの組み合わせにより文字などを表示するドットマトリックス方式とされるとともに、例えば240ドット（横）×64ドット（縦）の表示能力を有するものとされる。
【００２０】
さらに、メモリ３８は、ＬＣＤ５０のドット表示方式に対応してビットマップ方式とされ、ＬＣＤ５０の１画面分の容量を有する。そして、ＣＤチェンジャ１１からの文字データやＲＡＭ３３などにおける文字データが、ＣＰＵ３１によりＲＯＭ３６のフォントデータを使用して表示データに変換され、この表示データがコントローラ３７を通じてメモリ３８に書き込まれる。
【００２１】
また、このとき、コントローラ３７により、メモリ３８の表示データが繰り返し読み出されるとともに、表示信号に変換されてＬＣＤ５０に供給される。こうして、ＬＣＤ５０には、ＣＤチェンジャ１１からの文字データやＣＰＵ３１がＲＡＭ３３から読み出した文字データに対応した文字が表示される。
【００２２】
一方、数字キーＫ1〜Ｋ9、Ｋ0は、例えば図３に示すように構成される。すなわち、図３は、数字キーＫ1〜Ｋ9、Ｋ0のそれぞれの断面を示すもので、符号３０１は操作部３０の正面パネルである。そして、このパネル３０１の透孔３０２に数字キーのキーキャップ３０３が設けられている。
【００２３】
この場合、キーキャップ３０３は、光透過性を有するように全体が透明なプラスチック材により形成され、その操作部３０３の操作面３０３Ａが透孔３０２から外部に臨むように、透孔３０２に位置させられるとともに、軸３０４により操作部３０のシャーシ（図示せず）に支持されている。また、シャーシには、キーキャップ３０３の後部で、かつ、軸３０４とは反対側の位置に、メカニカルなスイッチ、例えばマイクロスイッチ３０５が設けられている。このとき、マイクロスイッチ３０５は、そのアクチュエータ３０５Ａがキーキャップ３０３の後部に近接ないし接触するように設けられている。なお、マイクロスイッチ３０５は、例えば常開接点であるとする。
【００２４】
さらに、シャーシには、キーキャップ３０３の後部において、フォトカプラ（フォトインターラプタ）を構成するＬＥＤ（Ｄ31）およびフォトトランジスタＱ31が設けられている。この場合、ＬＥＤ（Ｄ31）およびフォトトランジスタＱ31は、それらの指向軸がキーキャップ３０３、特にその操作面３０３Ａの方向となるように設けられている。
【００２５】
そして、例えば図４に示すように、ＬＥＤ（Ｄ31）に動作電流が供給されるとともに、フォトトランジスタＱ31の出力信号ＳTRがインターフェイス回路３５に供給される。また、マイクロスイッチ３０５の出力信号ＳSWもインターフェイス回路３５に供給される。
【００２６】
このような構成において、図３Ａに示すように、キーキャップ３０３の操作面３０３Ａにユーザの指が触れていない場合には、ＬＥＤ（Ｄ31）の出力光Ｌはキーキャップ３０３を通じて外部に放射され、フォトトランジスタＱ31には供給されない。したがって、フォトトランジスタＱ31の出力信号ＳTRは“１”である。また、キーキャップ３０３は押されていないので、マイクロスイッチ３０５はオフであり、その出力信号ＳSWも“１”である。
【００２７】
しかし、図３Ｂに示すように、キーキャップ３０３の操作面３０３Ａにユーザの指が触れた場合には（あるいは接近した場合には）、ＬＥＤ（Ｄ31）の出力光Ｌは指により反射してフォトトランジスタＱ31に供給される。したがって、フォトトランジスタＱ31の出力信号ＳTRは“０”となる。しかし、マイクロスイッチ３０５の出力信号ＳSWは“１”である。
【００２８】
さらに、図３Ｃに示すように、キーキャップ３０３の操作面３０３Ａを指で押した場合には、ＬＥＤ（Ｄ31）の出力光Ｌは指により反射してフォトトランジスタＱ31に供給される。したがって、フォトトランジスタＱ31の出力信号ＳTRは“０”である。
【００２９】
また、このとき、キーキャップ３０３が軸３０４を中心にして回動するので、キーキャップ３０３によりマイクロスイッチ３０５のアクチュエータ３０５Ａが押されてマイクロスイッチ３０５はオンとなる。したがって、マイクロスイッチ３０５の出力信号ＳSWは“０”となる。
【００３０】
つまり、ユーザの指がキーキャップ３０３に触れていない場合、触れた場合、押した場合に対応して、信号ＳTR、ＳSWが上記のように変化する。したがって、信号ＳTR、ＳSWから、その信号ＳTR、ＳSWを得ている数字キーの状態を知ることができる。
【００３１】
そこで、マイクロコンピュータ３０においては、電源が投入されると、ＣＰＵ３１の処理がルーチン１００のステップ１０１からスタートし、次にステップ１０２において、数字キーＫ1〜Ｋ9、Ｋ0からのすべての信号ＳTRをチェックすることにより、数字キーＫ1〜Ｋ9、Ｋ0のどれかにユーザの指が触れているかどうかが判別され、どの数字キーにも指が触れていないときには、処理はステップ１０２に戻る。こうして、数字キーＫ1〜K9、Ｋ0のどれかにもが触れていないときには、ステップ１０２が繰り返され、キー入力待ちとなる。
【００３２】
そして、数字キーＫ1〜Ｋ9、Ｋ0のどれかに指が触れると、これがステップ１０２により検出され、処理はステップ１０２からステップ１０３に進み、このステップ１０３において、ＬＣＤ５０の表示内容に関するデータがＲＡＭ３３に退避され、その後、処理はステップ１０４に進む。
【００３３】
すると、ステップ１０４においては、ステップ１０２により指の触れたことの検出された数字キーＫj（j＝1〜9、0のどれか）を示すデータが、マイクロコンピュータ３０からＣＤチェンジャ１１に供給され、ＣＤチェンジャ１１から、これにセットされているＣＤのうち、数字キーＫjに対応する第ｊ番目のＣＤの例えばＣＤ名を示すデータが、マイクロコンピュータ３０に返送される。こうして、ＬＣＤ５０には、ＣＤチェンジャ１１から返送されてきたデータにしたがって、数字キーＫjに対応する第ｊ番目のＣＤのＣＤ名が表示される。
【００３４】
したがって、数字キーＫjに指を触れると、これがステップ１０２により検出され、その数字キーＫjに対応しているＣＤのＣＤ名がＬＣＤ５０に表示されることになる。
【００３５】
続いて、処理はステップ１０５に進み、このステップ１０５において、ステップ１０２と同様、信号ＳTRをチェックすることにより、数字キーＫ1〜Ｋ9、Ｋ0のどれかにユーザの指が触れているかどうかが判別され、指が数字キーＫjに触れているときには、処理はステップ１０５からステップ１０６に進み、このステップ１０６において、数字キーＫjのマイクロスイッチ３０５の出力信号ＳSWをチェックすることにより、数字キーＫjが押されたかどうかが判別され、押されていないときには、処理はステップ１０５に戻る。
【００３６】
したがって、数字キーＫjに指の触れたことがステップ１０２により検出されたときから、続いてその数字キーＫjに触れていると、ステップ１０５、１０６が繰り返されることになる。
【００３７】
そして、ＬＣＤ５０に表示されたＣＤ名が目的とするＣＤのものである場合、（その数字キーＫjに触れている状態から）その数字キーＫJを押すと、これがステップ１０６において検出され、処理はステップ１０６からステップ１０７に進む。
【００３８】
すると、このステップ１０７においては、数字キーＫjに対応するＣＤの再生を指示するデータが、マイクロコンピュータ３０からＣＤチェンジャ１１に供給され、ＣＤチェンジャ１１においては、数字キーＫjに対応する第ｊ番目のＣＤが選択され、そのＣＤの再生状態となる。そして、その後、処理はステップ１０２に戻り、再びキー入力待ちとなる。
【００３９】
したがって、数字キーＫjに指を触れることにより、目的とするＣＤのＣＤ名がＬＣＤ５０に表示されたとき、さらにその数字キーＫjを押すと、そのＣＤ名の表示されたＣＤが選択されて再生されることになる。
【００４０】
一方、ステップ１０４によりＬＣＤ５０にＣＤ名が表示されたとき（このとき、ステップ１０５、１０６が繰り返されている）、そのＣＤが目的とするＣＤではないので、数字キーＫjから指を離すと、これがステップ１０５により検出され、処理はステップ１０５からステップ１０８に進み、このステップ１０８において、ステップ１０３によりＲＡＭ３３に退避したデータを使用してＬＣＤ５０の表示がステップ１０４以降の実行前の表示内容に復帰され、その後、処理はステップ１０２に戻り、再びキー入力待ちとなる。
【００４１】
こうして、この操作部３０によれば、数字キーＫ1〜Ｋ9、Ｋ0に指を触れると、ＣＤチェンジャ１１のＣＤのうち、その指の触れた数字キーに対応するＣＤのＣＤ名がＬＣＤ５０に表示され、その触れた数字キーをさらに押すと、そのＣＤが選択されて再生状態となる。また、表示されたＣＤ名が目的とするＣＤのものではないときには、指を離すと、ＣＤは選択されずに再びキー入力待ちとなる。したがって、目的とするＣＤを簡単に、かつ、素早く探すことができるとともに、間違えずに再生することができる。
【００４２】
また、数字キーＫ1〜Ｋ9、Ｋ0を押すときの感触は、スイッチ３０５により決まるとともに、このスイッチ３０５はどのような構成のスイッチであってもよいので、最適な感触あるいは操作性とすることができる。また、スイッチ３０５の電気的特性についても、選択することができる。
【００４３】
なお、上述においては、ＣＤチェンジャ１１にセットされているＣＤのＣＤ名のデータが、ＣＤチェンジャ１１に記憶されているように説明したが、ＣＤ名のデータはＲＡＭ３３に記憶しておくこともできる。
【００４４】
また、上述においては、この発明をＣＤチェンジャ１１に対する操作部３０の数字キーＫ1〜Ｋ9、Ｋ0に適用した場合であり、他の電子機器の入力スイッチにもこの発明を適用することができる。
【００４５】
〔略語の一覧〕
ＣＤ  ：Compact Disc
ＣＰＵ：Central Processing Unit
ＬＣＤ：Liquid Crystal Display
ＬＥＤ：Light Emitting Diode
ＲＡＭ：Random Access Memory
ＲＯＭ：Read Only Memory
【図面の簡単な説明】
【００４６】
【図１】この発明の一形態を示す系統図である。
【図２】この発明の一形態を示すフローチャートである。
【図３】この発明の一形態を示す断面図である。
【図４】この発明の一形態を示す接続図である。
【図５】この発明を説明するための正面図である。
【符号の説明】
【００４７】
１１＝ＣＤプレーヤ、１４Ｌおよび１４Ｒ＝スピーカ、２０＝マスタ制御用マイクロコンピュータ、３０＝操作部、３１＝ＣＰＵ、３２＝ＲＯＭ（プログラム用）、３３＝ＲＡＭ（ワークエリア用）、３５＝キーインターフェイス回路、３６＝フォントＲＯＭ、３７＝ディスプレイコントローラ、３８＝メモリ（表示用）、５０＝ＬＣＤ、１００＝表示制御ルーチン、３０１＝パネル、３０３＝キーキャップ、３０４＝軸、３０５＝マイクロスイッチ、３０５Ａ＝アクチュエータ、Ｄ31＝ＬＥＤ、Ｋ1〜ＫN＝操作キー、Ｑ31＝フォトトランジスタ
【図１】
2008146822.tif 000003
【図２】
2008146822.tif 000004
【図３】
2008146822.tif 000005
【図４】
2008146822.tif 000006
【図５】
2008146822.tif 000007